【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
第１セパレータ層と、第２セパレータ層とを含む多孔質の電気化学素子用セパレータであって、
前記第１セパレータ層は、加熱により非水電解液を吸収して膨潤し且つ温度上昇と共に膨潤度が増大する樹脂Ｂを主体として含み、
前記第２セパレータ層は、耐熱温度が１５０℃以上のフィラーを主体として含むとともに有機バインダーを含み、
前記第２セパレータ層の前記フィラーは、前記有機バインダーにより固定されており、
前記第１セパレータ層および前記第２セパレータ層の少なくとも一方は、板状粒子を含むことを特徴とする電気化学素子用セパレータ。
【請求項２】
前記第２セパレータ層は、融点が８０〜１３０℃である樹脂Ａをさらに含む請求項１に記載の電気化学素子用セパレータ。
【請求項３】
第１セパレータ層と、第２セパレータ層とを含む多孔質の電気化学素子用セパレータであって、
前記第１セパレータ層は、融点が８０〜１３０℃である樹脂Ａと、加熱により非水電解液を吸収して膨潤し且つ温度上昇と共に膨潤度が増大する樹脂Ｂとを主体として含み、
前記第２セパレータ層は、耐熱温度が１５０℃以上のフィラーを主体として含むとともに有機バインダーを含み、
前記第２セパレータ層の前記フィラーは、前記有機バインダーにより固定されており、
前記第１セパレータ層および前記第２セパレータ層の少なくとも一方は、板状粒子を含むことを特徴とする電気化学素子用セパレータ。
【請求項４】
前記樹脂Ａは、ポリエチレン、エチレン−ビニルモノマー共重合体およびポリオレフィンワックスよりなる群から選択される少なくとも１種の樹脂である請求項２または３に記載の電気化学素子用セパレータ。
【請求項５】
前記樹脂Ａは、微粒子である請求項２〜４のいずれかに記載の電気化学素子用セパレータ。
【請求項６】
下記式（１）で定義される、２５℃における前記樹脂Ｂの膨潤度ＢRが、１以下である請求項１〜５のいずれかに記載の電気化学素子用セパレータ。
ＢR＝（Ｖ0／Ｖi）−１  （１）
ただし、上記式中、Ｖ0は、非水電解液中に２５℃で２４時間浸漬後の樹脂Ｂの体積（ｃｍ3）、Ｖiは、非水電解液に浸漬する前の樹脂Ｂの体積（ｃｍ3）をそれぞれ表す。
【請求項７】
下記式（２）で定義される、１２０℃における前記樹脂Ｂの膨潤度ＢTが、１以上である請求項１〜６のいずれかに記載の電気化学素子用セパレータ。
ＢT＝（Ｖ1／Ｖ0）−１  （２）
ただし、上記式中、Ｖ0は、非水電解液中に２５℃で２４時間浸漬後の樹脂Ｂの体積（ｃｍ3）、Ｖ1は、非水電解液中に２５℃で２４時間浸漬後、非水電解液を１２０℃に昇温させ、１２０℃で１時間経過後における樹脂Ｂの体積（ｃｍ3）をそれぞれ表す。
【請求項８】
前記樹脂Ｂは、７５〜１２５℃の範囲にガラス転移点を有する樹脂架橋体である請求項１〜７のいずれかに記載の電気化学素子用セパレータ。
【請求項９】
前記樹脂Ｂは、スチレン樹脂、スチレンブタジエンゴム、アクリル樹脂、ポリアルキレンオキシド、フッ素樹脂およびこれらの誘導体よりなる群から選択される少なくとも１種の樹脂の架橋体である請求項８に記載の電気化学素子用セパレータ。
【請求項１０】
前記樹脂Ｂは、微粒子である請求項１〜９のいずれかに記載の電気化学素子用セパレータ。
【請求項１１】
前記フィラーは、無機酸化物からなる請求項１〜１０のいずれかに記載の電気化学素子用セパレータ。
【請求項１２】
前記フィラーは、ベーマイト、Ａｌ2Ｏ3およびＳｉＯ2よりなる群から選択される少なくとも１種を含む請求項１〜１０のいずれかに記載の電気化学素子用セパレータ。
【請求項１３】
前記第１セパレータ層および前記第２セパレータ層の少なくとも一方が、耐熱温度が１５０℃以上の多孔質基体をさらに含む請求項１〜１２のいずれかに記載の電気化学素子用セパレータ。
【請求項１４】
前記第１セパレータ層と前記第２セパレータ層とは、前記多孔質基体を共有して一体化している請求項１３に記載の電気化学素子用セパレータ。
【請求項１５】
前記多孔質基体は、織布または不織布である請求項１３または１４に記載の電気化学素子用セパレータ。
【請求項１６】
正極、負極、非水電解液および請求項１〜１５のいずれかに記載の電気化学素子用セパレータを含むことを特徴とする電気化学素子。
【請求項１７】
前記第１セパレータ層および前記第２セパレータ層の少なくとも一方が、前記正極および前記負極の少なくとも一方の電極と一体化されている請求項１６に記載の電気化学素子。
【請求項１８】
前記非水電解液の共存下において、１５０℃での内部抵抗が、２５℃における内部抵抗の５倍以上となる請求項１６または１７に記載の電気化学素子。
【手続補正２】
【補正対象書類名】明細書
【補正対象項目名】発明の名称
【補正方法】変更
【補正の内容】
【発明の名称】電気化学素子用セパレータおよび電気化学素子
【手続補正３】
【補正対象書類名】明細書
【補正対象項目名】００１３
【補正方法】変更
【補正の内容】
【００１３】
本発明は上記事情に鑑みてなされたものであり、その目的は、異常発熱した際の安全性と、各種原因による内部短絡に対する信頼性に優れた電気化学素子を構成し得るセパレータとそのセパレータを備えた電気化学素子を提供することにある。
【手続補正４】
【補正対象書類名】明細書
【補正対象項目名】００１４
【補正方法】変更
【補正の内容】
【００１４】
本発明の電気化学素子用セパレータは、第１セパレータ層と、第２セパレータ層とを含む多孔質の電気化学素子用セパレータであって、前記第１セパレータ層は、加熱により非水電解液を吸収して膨潤し且つ温度上昇と共に膨潤度が増大する樹脂Ｂを主体として含み、前記第２セパレータ層は、耐熱温度が１５０℃以上のフィラーを主体として含むとともに有機バインダーを含み、前記第２セパレータ層の前記フィラーは、前記バインダーにより固定されており、前記第１セパレータ層および前記第２セパレータ層の少なくとも一方は、板状粒子を含むことを特徴とする。
【手続補正５】
【補正対象書類名】明細書
【補正対象項目名】００１５
【補正方法】変更
【補正の内容】
【００１５】
また、本発明の電気化学素子用セパレータの上記とは別の態様は、第１セパレータ層と、第２セパレータ層とを含む多孔質の電気化学素子用セパレータであって、前記第１セパレータ層は、融点が８０〜１３０℃である樹脂Ａと、加熱により非水電解液を吸収して膨潤し且つ温度上昇と共に膨潤度が増大する樹脂Ｂとを主体として含み、前記第２セパレータ層は、耐熱温度が１５０℃以上のフィラーを主体として含むとともに有機バインダーを含み、前記第２セパレータ層の前記フィラーは、前記有機バインダーにより固定されており、前記第１セパレータ層および前記第２セパレータ層の少なくとも一方は、板状粒子を含むことを特徴とする。
【手続補正６】
【補正対象書類名】明細書
【補正対象項目名】００１６
【補正方法】変更
【補正の内容】
【００１６】
また、本発明の電気化学素子は、正極、負極、非水電解液および上記本発明のセパレータを含むことを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００７１
【補正方法】変更
【補正の内容】
【００７１】
繊維状物の具体的な構成材料としては、例えば、セルロースおよびその変成体［カルボキシメチルセルロース（ＣＭＣ）、ヒドロキシプロピルセルロース（ＨＰＣ）など］、ポリオレフィン［ポリプロピレン（ＰＰ）、プロピレンの共重合体など］、ポリエステル［ポリエチレンテレフタレート（ＰＥＴ）、ポリエチレンナフタレート（ＰＥＮ）、ポリブチレンテレフタレート（ＰＢＴ）など］、ポリアクリロニトリル（ＰＡＮ）、アラミド、ポリアミドイミド、ポリイミドなどの樹脂；ガラス、アルミナ、ジルコニア、シリカなどの無機酸化物；などを挙げることができ、これらの構成材料を２種以上併用して繊維状物を構成してもよい。また、繊維状物は、必要に応じて、各種添加剤、例えば、繊維状物が樹脂である場合には酸化防止剤などを含有していても構わない。